(57)【要約】【課題】突起が少なく、異物による動作不良を低減し、且つ、展開状態のガタツキを抑えた折り畳み式防弾盾を提供する。【解決手段】本発明にかかる折り畳み式防弾盾１００は、防弾機能を有する板状の部材である第１の分割体１１０及び第２の分割体１２０と、第１の分割体１１０と第２の分割体１２０とを連結するヒンジ１３０と、を備え、折り畳み状態と展開状態とに変化する折り畳み式防弾盾である。第１の分割体１１０は、主面に設けられた第１のガイドレール１６０と第１のガイドレール１６０に係合し直動自在に固定されたロックプレート１５０とを有し、第２の分割体１２０は、ロックプレート１５０と嵌合する第２のガイドレール１９０を有し、展開状態において、ロックプレート１５０と第２のガイドレール１９０とが嵌合することにより、第１の分割体１１０及び第２の分割体１２０が固定される。【選択図】図１
2019023518.tif 000002
【特許請求の範囲】
【請求項１】
防弾機能を有する板状の部材である第１の分割体と、防弾機能を有する板状の部材である第２の分割体と、前記第１の分割体と前記第２の分割体とを連結するヒンジと、を備え、
前記第１の分割体の主面と前記第２の分割体の主面とが対向して重なり合う折り畳み状態と、前記第１の分割体の主面と前記第２の分割体の主面とが隣接して１枚の板状に展開された展開状態と、に変化する、折り畳み式防弾盾であって、
前記第１の分割体は、主面に設けられた第１のガイドレールと当該第１のガイドレールに係合し直動自在に固定されたロックプレートとを有し、
前記第２の分割体は、前記ロックプレートと嵌合する第２のガイドレールを有し、
前記展開状態において、前記ロックプレートと前記第２のガイドレールとが嵌合することにより、前記第１の分割体及び前記第２の分割体が固定される、
折り畳み式防弾盾。
【請求項２】
前記ロックプレートは、２本のかんぬき部を有する二股形状をしており、
前記第１のガイドレール及び前記第２のガイドレールは、少なくとも前記２本のかんぬき部の内側の面にそれぞれ係合し、前記２本のかんぬき部の外側の面にそれぞれ開放部を有する、
請求項１に記載の折り畳み式防弾盾。
【請求項３】
前記第１のガイドレールは、前記ロックプレートを付勢することにより前記ロックプレートが前記ロックプレートの自重により動くことを抑止する弾性部材をさらに有し、
前記弾性部材は、前記ロックプレートと、前記第１のガイドレールとにより囲まれた閉空間に配置される、
請求項１又は２に記載の折り畳み式防弾盾。
【請求項４】
防弾機能を備える板状の防弾板をさらに備え、
前記防弾板は、前記展開状態において、前記第１の分割体と前記第２の分割体とを跨ぐように設けられる、
請求項１〜３のいずれか一項に記載の折り畳み式防弾盾。
【請求項５】
前記折り畳み状態において、前記第１のガイドレールと、前記第２のガイドレールとは、前記第１の分割体と前記第２の分割体の厚さ方向の外側にそれぞれ配置される、
請求項１〜４のいずれか一項に記載の折り畳み式防弾盾。
【発明の詳細な説明】
【技術分野】
【０００１】
本発明は、折り畳み式防弾盾に関する。
【背景技術】
【０００２】
警察官等が銃を保持した犯罪人等に対峙する場合は、一般に、個人用の防弾盾が利用される。このような場合、警察官等が利用する防弾盾は、現場到着までは携行容易であり、且つ、現場到着後には防弾盾として充分に機能するものが使用される。
【０００３】
例えば、特許文献１には、盾本体を上下方向に分割し、その分割体を折り畳み可能に連結した防弾盾が提案されている。特許文献１に記載されている防弾盾は、上下に分割した分割体をヒンジにより連結している。折り畳み式防弾盾を使用する場合、使用者は、分割体を折り畳んだ状態のまま携行する。そして、使用者は、防弾盾を使用する現場において、かかる防弾盾を使用するに際し、分割体を展開して固定した状態にする。
【先行技術文献】
【特許文献】
【０００４】
【特許文献１】実開昭６３−０８６５８９号公報
【発明の概要】
【発明が解決しようとする課題】
【０００５】
このような折り畳み式防弾盾において、分割体が展開された後のガタツキが大きいことは、使用者の安全面を確保する上で好ましくない。また、分割体を展開して固定する機構に大きな突起部が存在すると、かかる突起部が衝突することにより、使用者に怪我を負わせる虞がある。さらに、防弾盾は、風雨や塵埃などを受ける環境下においても使用され得る。そのため、分割体を展開して固定する機構は、このような劣悪な環境下において確実に作動し得る構造であることが期待される。
【０００６】
本発明は、このような課題を解決するためになされたものであって、突起が少なく簡易な構造によって構成され、異物による動作不良を低減し、且つ、展開状態のガタツキを抑えた折り畳み式防弾盾を提供することを目的とする。
【課題を解決するための手段】
【０００７】
本発明にかかる折り畳み式防弾盾は、防弾機能を有する板状の部材である第１の分割体と、防弾機能を有する板状の部材である第２の分割体と、前記第１の分割体と前記第２の分割体とを連結するヒンジと、を備え、前記第１の分割体の主面と前記第２の分割体の主面とが対向して重なり合う折り畳み状態と、前記第１の分割体の主面と前記第２の分割体の主面とが隣接して１枚の板状に展開された展開状態と、に変化する、折り畳み式防弾盾であって、前記第１の分割体は、主面に設けられた第１のガイドレールと当該第１のガイドレールに係合し直動自在に固定されたロックプレートとを有し、前記第２の分割体は、前記ロックプレートと嵌合する第２のガイドレールを有し、前記展開状態において、前記ロックプレートと前記第２のガイドレールとが嵌合することにより、前記第１の分割体及び前記第２の分割体が固定されるものである。
【発明の効果】
【０００８】
突起が少なく簡易な構造によって構成され、異物による動作不良を低減し、且つ、展開状態のガタツキを抑えた折り畳み式防弾盾を提供することができる。
【図面の簡単な説明】
【０００９】
【図１】実施の形態にかかる防弾盾の分解斜視図である。
【図２】実施の形態にかかる防弾盾の折り畳み状態の斜視図である。
【図３】実施の形態にかかる防弾盾の展開状態の斜視図である。
【図４】実施の形態にかかる防弾盾の展開状態の斜視図である。
【図５】実施の形態にかかる防弾盾１００の折り畳み状態の側面を模式的に表した図である。
【図６】実施の形態にかかる防弾盾の展開状態の側面を模式的に表した図である。
【図７】実施の形態にかかる防弾盾の展開状態の側面を模式的に表した図である。
【図８】実施の形態にかかる防弾盾の展開状態の正面図である。
【図９】実施の形態にかかる防弾盾の展開状態の正面図である。
【図１０】実施の形態にかかる防弾盾の断面図である。
【発明を実施するための形態】
【００１０】
実施の形態
以下、図面を参照して本発明の実施の形態について説明する。
【００１１】
まず、図１〜図４を参照しながら、実施の形態にかかる防弾盾の全体構造について説明する。図１は、実施の形態にかかる防弾盾１００の分解斜視図である。防弾盾１００は、折り畳み状態と展開状態とに変化する折り畳み式の防弾盾である。防弾盾１００は、第１の分割体１１０と、第２の分割体１２０を主に備えている。第１の分割体１１０と、第２の分割体１２０とは、ヒンジ１３０にそれぞれ固定されている。したがって、第１の分割体１１０と、第２の分割体１２０とは、ヒンジ１３０の回転支点を中心に回動自在に接続されている。防弾盾１００において、折り畳み状態とは、第１の分割体１１０の主面と第２の分割体１２０の主面とが対向して重なり合う状態である。また、防弾盾１００において、展開状態とは、第１の分割体１１０の主面と第２の分割体１２０の主面とが隣接して固定され、１枚の板状に展開された状態である。防弾盾１００は、折り畳み状態において展開状態よりも投影面積が小さく可搬性が高い。また、防弾盾１００は、展開状態において折り畳み状態よりも投影面積が大きく防弾面積が広い。
【００１２】
図１は、右手系ｘｙｚ座標が付されている。尚、当然のことながら、図１以降に示した右手系ｘｙｚ座標は、構成要素の位置関係を説明するための便宜的なものである。図１のｚ軸方向と図２〜図１０のｚ軸方向は一致している。通常、ｚ軸プラス向きが鉛直上向き、ｘｙ平面が水平面である。
【００１３】
尚、第１の分割体１１０とヒンジ１３０とは、例えば、ネジ、リベット、溶接、又は接着等の手段により固定されている。同様に、第２の分割体１２０とヒンジ１３０とも、例えば、ネジ、リベット、溶接、又は接着等の手段により固定されている。以降、本実施の形態の説明において、各構成要素は、特段の説明をした箇所を除いて、上述したような従来技術によってそれぞれ固定されている。したがって、これ以降の各構成要素の固定手段については適宜説明を省略する。
【００１４】
第１の分割体１１０及び第２の分割体１２０は、防弾機能を有する板状の部材により構成されている。防弾機能とは、銃弾が貫通するのを防ぐ機能である。かかる機能を実現するため、第１の分割体１１０及び第２の分割体１２０は、例えば、アラミド樹脂やポリエチレン樹脂を主成分とする材料により構成され得る。また、第１の分割体１１０及び第２の分割体１２０は、金属やセラミック等により構成されてもよい。また、第１の分割体１１０及び第２の分割体１２０は、これらの材料の組み合わせにより構成されてもよい。
【００１５】
第１の分割体１１０は、覗き窓１１２を有している。覗き窓１１２は、使用者が被弾を防ぎつつ前方の視界を把握するための窓である。覗き窓１１２には、防弾ガラス等の防弾機能及び光透過性を有する部材が固定されている。
【００１６】
以下に、第１の分割体１１０が有する構成要素について説明する。第１の分割体１１０は、第１のベース１４０、ロックプレート１５０、第１のカバー１４５、及びガイド爪１７０を有している。
【００１７】
第１のベース１４０は、第１のカバー１４５と共に、ロックプレート１５０を案内する。第１のベース１４０は、ロックプレート１５０を直動自在に案内する。具体的には、図１において、第１のベース１４０は、ロックプレート１５０のｘ軸方向及びｙ軸プラス方向の動きを規制する。第１のベース１４０は、第１の分割体１１０の主面に固定されている。
【００１８】
ロックプレート１５０は、防弾盾１００を展開した状態において、第１の分割体１１０と第２の分割体１２０とを固定するための部材である。ロックプレート１５０は、第１のベース１４０及び第１のカバー１４５に案内され、第１の分割体１１０の主面と平行な方向に直動自在に固定されている。具体的には、図１において、ロックプレート１５０は、ｚ軸方向に直動自在に固定されている。ロックプレート１５０は、第１のかんぬき部１５１及び第２のかんぬき部１５２を有する二股構造を呈している。第１のかんぬき部１５１及び第２のかんぬき部１５２は、防弾盾１００の展開状態において、第１の分割体１１０から突出する。そして、第１のかんぬき部１５１及び第２のかんぬき部１５２は、第１の分割体１１０と第２の分割体１２０とが隣接して一枚の板状になりヒンジ１３０が回動しないように、第１の分割体１１０及び第２の分割体１２０を固定する。
【００１９】
防弾盾１００の展開状態において、ロックプレート１５０は、第１の分割体１１０と第２の分割体１２０とを跨ぐように設けられている。そのため、ロックプレート１５０は、第１の分割体１１０と第２の分割体１２０との間における防弾機能を有している。
【００２０】
第１のカバー１４５は、第１のベース１４０と共に、ロックプレート１５０を案内する。具体的には、図１において、第１のガイドレール１６０は、ロックプレート１５０のｙ軸マイナス方向の動きを規制する。第１のカバー１４５は、第１のベース１４０に固定されている。
【００２１】
上述した第１のベース１４０及び第１のカバー１４５は、第１のガイドレール１６０を構成する。すなわち、第１のガイドレール１６０は、ロックプレート１５０を直動自在に固定している。
【００２２】
ガイド爪１７０は、ロックプレート１５０のｘ軸方向の動きを規制する。より具体的には、例えば、ガイド爪１７０は、ロックプレート１５０が有する第１のかんぬき部１５１及び第２のかんぬき部１５２がｘ軸方向において互いに離れる方向に拡がる動きを規制する。ガイド爪１７０は、第１のカバー１４５に固定されている。
【００２３】
次に、第２の分割体１２０が有する構成要素について説明する。第２の分割体は、第２のベース１８０、第２のカバー１８５、及び防弾板１２５を有している。
【００２４】
第２のベース１８０は、第２のカバー１８５と共に、ロックプレート１５０を案内する。具体的には、図１において、第２のベース１８０は、ロックプレート１５０のｘ軸方向及びｙ軸プラス方向の動きを規制する。第２のベース１８０は、第２の分割体１２０の主面に固定されている。
【００２５】
第２のカバー１８５は、第２のベース１８０と共に、ロックプレート１５０を案内する。具体的には、図１において、第２のガイドレール１９０は、ロックプレート１５０のｙ軸マイナス方向の動きを規制する。第２のカバー１８５は、第２のベース１８０に固定されている。
【００２６】
上述した第２のベース１８０及び第２のカバー１８５は、第２のガイドレール１９０を構成する。すなわち、第２のガイドレール１９０は、ロックプレート１５０と嵌合することにより、第１の分割体１１０と第２の分割体１２０とを展開状態で固定する。
【００２７】
防弾板１２５は、第１の分割体１１０と第２の分割体１２０との間に被弾した場合に銃弾の貫通を防ぐ。防弾板１２５は、板状の部材であり、第２の分割体１２０の主面に固定されている。また、防弾板１２５は、第２の分割体１２０の主面に平行な方向に延出している。つまり、防弾板１２５は、防弾盾１００の展開状態において、第１の分割体１１０と第２の分割体１２０とを跨ぐように設けられている。図１に示すように、防弾盾１００の例では、第２の分割体１２０は、防弾板１２５を２個有している。防弾板１２５は、防弾機能を有する材料により構成されている。防弾板１２５は、例えば、金属、セラミック、アラミド樹脂やポリエチレン樹脂を主成分とする材料、又はその組み合わせにより構成され得る。
【００２８】
ヒンジ１３０、第１のベース１４０、ロックプレート１５０、第１のカバー１４５、ガイド爪１７０、第２のベース１８０、第２のカバー１８５は、金属又は樹脂により構成され得る。また、ヒンジ１３０、第１のベース１４０、第１のカバー１４５、ガイド爪１７０、第２のベース１８０、第２のカバー１８５は、それぞれ一体の材料により形成されてもよく、複数の部材を組み合わせることにより構成されてもよい。その場合、複数の部材は異なる材料により構成されてもよい。
【００２９】
図１において破線で囲まれた、ロックプレート１５０、第１のガイドレール１６０、ガイド爪１７０、第２のガイドレール１９０は、防弾盾１００の固定機構２００と称される。
【００３０】
尚、防弾盾１００は、図示しない把手を有し得る。展開状態において、使用者は、把手を持ち防弾盾１００を使用し得る。
【００３１】
次に、図２及び図３を参照しながら、防弾盾１００の折り畳み状態と展開状態について説明する。図２は、実施の形態にかかる防弾盾１００の折り畳み状態の斜視図である。図２に示すように、防弾盾１００は、折り畳み状態において、第１の分割体１１０の主面と第２の分割体１２０の主面とが対向して重なり合う。したがって、使用者は、折り畳み状態で防弾盾１００を持ち運び得る。防弾盾１００を使用するにあたり、使用者は、第１の分割体１１０と第２の分割体１２０とを展開するようにヒンジ１３０を回動させる（矢印Ａ）。
【００３２】
図３は、実施の形態にかかる防弾盾１００の展開状態の斜視図である。図３に示すように、防弾盾１００は、展開状態において、第１の分割体１１０の主面と第２の分割体１２０の主面とが隣接して１枚の板状に展開されている。使用者は、防弾盾１００を使用するにあたり、第１の分割体１１０と第２の分割体１２０とを展開する（矢印Ｂ）。次に、使用者は、ロックプレート１５０を第２の分割体１２０に近づける方向、すなわち、ｚ軸マイナス方向に移動させる（矢印Ｃ）。ロックプレート１５０は、移動することにより、第２のガイドレール１９０と嵌合する。その結果、ロックプレート１５０は、第１の分割体１１０及び第２の分割体１２０が展開状態を保つように固定する。
【００３３】
図３に示すように、展開状態において、ロックプレート１５０及び防弾板１２５は、第１の分割体１１０と第２の分割体１２０とを跨ぐように設けられている。また、ロックプレート１５０及び防弾板１２５は、ｘ軸方向に連なった状態で設けられている。これにより、防弾盾１００は、第１の分割体１１０と第２の分割体１２０との隙間に被弾した場合の防弾機能を担保している。
【００３４】
次に、防弾盾１００の展開状態についてさらに説明する。図４は、実施の形態にかかる防弾盾１００の展開状態の斜視図である。図４は、展開状態にある防弾盾１００を図３の反対方向から見た場合の斜視図である。図４に示すように、ロックプレート１５０等が設けられている面の反対側の主面は、ヒンジ１３０の支点部が配されている。このように、防弾盾１００は、固定機構２００と防弾板１２５とを、ヒンジ１３０の支点部が配されている側の反対側の面に配することにより、ヒンジ１３０の支点部が配されている側の面は、整然とした印象を与える形態を呈することができる。
【００３５】
次に、図５〜図７を参照しながら、防弾盾１００の固定機構２００の動作についてより詳細を説明する。図５は、実施の形態にかかる防弾盾１００の折り畳み状態の側面を模式的に表した図である。図５において、第１の分割体１１０及び第２の分割体１２０は、それぞれｚ軸マイナス方向の一部を省略して示している。図５に示すように、第１の分割体１１０と第２の分割体１２０とは、ヒンジ１３０を介して接続されている。また、折り畳み状態において、第１のガイドレール１６０と、第２のガイドレール１９０とは、第１の分割体１１０と第２の分割体１２０の厚さ方向の外側にそれぞれ配置される。
【００３６】
第１のベース１４０と第１のカバー１４５とは、ロックプレート１５０がガタツキなく摺動できる程度の隙間を有している。ロックプレート１５０は、第１のベース１４０と、第１のカバー１４５とにガタツキなく摺動できるように挟まれている。つまり、ロックプレート１５０は、ｙ軸方向又は第１の分割体１１０の厚み方向において、第１のガイドレール１６０により動きを規制されている。また、ロックプレート１５０は、ｚ軸方向においては、第１のガイドレール１６０に案内されて、直動自在の状態である。また、ロックプレート１５０は、ｚ軸方向において、第１の分割体１１０から突出しないように、後述する保持手段により、保持されている。防弾盾１００は、第１の分割体１１０を矢印Ｄの方向に回動させ、折り畳み状態から展開状態に形態を変化させることができる。
【００３７】
次に、図６及び図７を参照しながら、展開状態の固定機構２００について説明する。図６は、実施の形態にかかる防弾盾１００の展開状態の側面を模式的に表した図である。図６において、第１のベース１４０と第２のベース１８０とはｚ軸方向において隣接している。同様に、第１のカバー１４５と第２のカバー１８５とはｚ軸方向において隣接している。また、第２のベース１８０と第２のカバー１８５とは、ロックプレート１５０がガタツキなく摺動できる程度の隙間を有している。したがって、ロックプレート１５０は、展開状態において矢印Ｅの方向に移動し、第２のベース１８０と第２のカバー１８５との隙間に入り込むことができる。換言すると、ロックプレート１５０は、展開状態において、ｚ軸マイナス方向又は矢印Ｅの方向に移動し、第２のガイドレール１９０と嵌合することができる。
【００３８】
続いて図７について説明する。図７は、実施の形態にかかる防弾盾１００の展開状態の側面を模式的に表した図である。図７において、ロックプレート１５０は、図６に示した状態からｚ軸マイナス方向又は矢印Ｅの方向に移動した状態である。図７に示すように、ロックプレート１５０は、第２のベース１８０及び第２のカバー１８５に接触している。つまり、ロックプレート１５０は、第２のガイドレール１９０と嵌合し、第１の分割体１１０と第２の分割体１２０とを展開状態で固定する。
【００３９】
尚、防弾盾１００の展開状態において、第１の分割体１１０と第２の分割体１２０とがガタツキなく固定されるためには、ヒンジ１３０の支点部から遠い場所に、ロックプレート１５０と第１のガイドレール１６０との嵌合部が存在することが好ましい。同様に、第１の分割体１１０と第２の分割体１２０とがガタツキなく固定されるためには、ヒンジ１３０の支点部から遠い場所に、ロックプレート１５０と第２のガイドレール１９０との嵌合部が存在することが好ましい。
【００４０】
図５において説明したように、防弾盾１００は、折り畳み状態において、第１のガイドレール１６０と、第２のガイドレール１９０とは、第１の分割体１１０と第２の分割体１２０の厚さ方向の外側にそれぞれ配置されている。このような構成により、固定機構２００と、ヒンジ１３０の支点部がｙ軸方向において互いに離れる方向に配置される。よって、防弾盾１００は、第１の分割体１１０と第２の分割体１２０とがガタツキなく固定され得る。
【００４１】
次に、図８及び図９を参照しながら、固定機構２００についてさらに説明する。図８は、実施の形態にかかる防弾盾１００の展開状態の正面図である。図８は固定機構２００の各構成要素の詳細を示している。また、説明の都合上、第１のカバー１４５及び第２のカバー１８５はそれぞれ破線で表示されている。
【００４２】
第１のベース１４０は、ｘ軸に直行する面１４１及び面１４２を有している。面１４１は、第１のかんぬき部１５１に接触している。また、面１４２は、第２のかんぬき部１５２に接触している。また、第１のベース１４０は、切欠き部を有している。そして、切欠き部にはバネ１４３が設けられている。
【００４３】
バネ１４３は、ロックプレート１５０を付勢することにより、ロックプレート１５０が自重により動くことを抑止する。また、バネ１４３は、後述するロックプレート１５０のカム部と係合し、ロックプレート１５０の直動方向の動作を制止する。バネ１４３は、例えばステンレスやベリリウム銅などの弾性を有する金属板により形成される弾性部材である。尚、バネ１４３は、ロックプレート１５０を付勢することができれば、上述の金属板以外の材料により構成されてもよい。
【００４４】
また、バネ１４３は、ロックプレート１５０の有する第２のかんぬき部１５２と、第１のベース１４０と、第１のカバー１４５とにより囲まれた閉空間に配置されている。このような配置を採用することにより、バネ１４３と第２のかんぬき部１５２との間に異物が侵入するのを抑制している。
【００４５】
ロックプレート１５０は、操作孔１５４を有している。ロックプレート１５０を移動させる場合、使用者は、指を操作孔１５４に引っかけた状態にして、ｚ軸方向に力を加える。このような操作孔１５４を設けることにより、固定機構２００は、不要な突出部を抑制している。これにより、固定機構２００は、不要な突出部と使用者とが衝突することにより使用者が負傷することを抑制している。
【００４６】
ロックプレート１５０において、第１のかんぬき部１５１の有する面１５７は、第１のベース１４０が有する面１４１と摺動可能な状態で常に接触している。また、第２のかんぬき部１５２の有する面１５８は、第１のベース１４０が有する面１４２と摺動可能な状態で常に接触している。すなわち、第１のベースは、ロックプレート１５０のｘ軸方向の動きを規制している。
【００４７】
第１のかんぬき部１５１は、溝部１５３を有している。同様に、第２のかんぬき部１５２も、溝部１５３を有している。図５〜７を参照しながら説明したように、溝部１５３は、ガイド爪１７０と係合し、第１のかんぬき部１５１と第２のかんぬき部１５２とが互いに離れる方向に拡がることを規制する。
【００４８】
第２のかんぬき部１５２は、第１のカム部１５５及び第２のカム部１５６を有している。第１のカム部１５５及び第２のカム部１５６は、バネ１４３と係合することにより、ロックプレート１５０を保持する。具体的には、図８に示すように、ロックプレート１５０が第１の分割体１１０から突出していない状態において、第１のカム部１５５とバネ１４３とが係合する。つまり、バネ１４３と第１のカム部１５５とが当接し、ロックプレート１５０は、矢印Ｇの方向に付勢される。これにより、ロックプレート１５０は容易に動くことが抑制されている。したがって、使用者は、ロックプレート１５０を矢印Ｆの方向に操作する場合に、バネ１４３の圧力に抗する力を要する。
【００４９】
ロックプレート１５０は、矢印Ｆの方向に移動し得る。ロックプレート１５０が矢印Ｆの方向に移動すると、第１のかんぬき部１５１及び第２のかんぬき部１５２は、第２のベース１８０及び第２のカバー１８５にそれぞれ接触する。すなわち、ロックプレート１５０は、第２のガイドレール１９０と嵌合する。ロックプレート１５０及び第２のベース１８０の端部は、互いにスムーズに接触できるように、適宜誘い込み形状となっている。例えば、図８に示すように、ロックプレート１５０の有する第１のかんぬき部１５１及び第２のかんぬき部は、先端がテーパ形状となっている。
【００５０】
次に、図９について説明する。図９は、実施の形態にかかる防弾盾１００の展開状態の正面図である。図９において、ロックプレート１５０は、ｚ軸マイナス方向に移動が完了した状態である。第１のかんぬき部１５１及び第２のかんぬき部１５２は、第２のベース１８０及び第２のカバー１８５に接触している。すなわち、ロックプレート１５０は、第２のガイドレール１９０に嵌合している。かかる状態において、第１の分割体１１０及び第２の分割体１２０は、ロックプレート１５０により展開状態で固定されている。
【００５１】
第２のカム部１５６は、バネ１４３と係合することにより、ロックプレート１５０を保持する。ロックプレート１５０は、図９に示した状態において、第２のカム部１５６とバネ１４３とが係合する。つまり、バネ１４３と第２のカム部１５６とが当接し、ロックプレート１５０は、矢印Ｈの方向に付勢される。これにより、ロックプレート１５０は容易に動くことが抑制されている。したがって、使用者は、ロックプレート１５０を第２のベース１８０及び第２のカバー１８５から引き抜くためには、バネ１４３の圧力に抗する力を要する。
【００５２】
図９において示すように、第１のかんぬき部１５１及び第２のかんぬき部１５２は、ｚ軸方向の中央部が両端部に比べて幅広形状となっている。このような形状を採用することにより、ヒンジ１３０近傍の剛性を十分に確保すると共に、比較的剛性を要求されない両端部の軽量化を図っている。
【００５３】
次に、図１０を参照しながら、展開状態におけるロックプレート１５０と第２のガイドレール１９０との関係について説明する。図１０は、実施の形態にかかる防弾盾１００の断面図である。図１０は、図９の断面Ｘを示している。
【００５４】
図１０において、第１のかんぬき部１５１は、ｙ軸方向すなわち第２の分割体１２０の厚さ方向を、第２のベース１８０と第２のカバー１８５とにより挟まれた状態となっている。また、第１のかんぬき部１５１は、第２のかんぬき部１５２と対向する側に面１５７を有している。面１５７は、第２のベース１８０が有する面１８１と接触している。一方、第１のかんぬき部１５１は、ｘ軸プラス方向は、第２のガイドレール１９０と接触していない開放部となっている。
【００５５】
同様に、第２のかんぬき部１５２は、ｙ軸方向すなわち第２の分割体１２０の厚さ方向を、第２のベース１８０と第２のカバー１８５とにより挟まれた状態となっている。また、第２のかんぬき部１５２は、第１のかんぬき部１５１と対向する側に面１５８を有している。面１５８は、第２のベース１８０が有する面１８２と接触している。一方、第２のかんぬき部１５２は、ｘ軸マイナス方向は、第２のガイドレール１９０と接触していない開放部となっている。
【００５６】
つまり、第２のガイドレール１９０は、第１のかんぬき部１５１及び第２のかんぬき部１５２の内側の面にそれぞれ係合し、第１のかんぬき部１５１及び第２のかんぬき部１５２の外側の面にそれぞれ開放部を有する。このような構成を採用することにより、ロックプレート１５０が第２のガイドレール１９０と嵌合する際に、それぞれの接触面に付着する異物を開放部から除去することができる。
【００５７】
防弾盾１００は、以上に説明した構成により、突起が少なく簡易な構造によって構成され、異物による動作不良を低減し、且つ、展開状態のガタツキを抑えた折り畳み式防弾盾を提供することができる。
【００５８】
なお、本発明は上記実施の形態に限られたものではなく、趣旨を逸脱しない範囲で適宜変更することが可能である。
【符号の説明】
【００５９】
１００  防弾盾
１１０  分割体
１１２  窓
１２０  分割体
１２５  防弾板
１３０  ヒンジ
１４０  第１のベース
１４３  バネ
１４５  第１のカバー
１５０  ロックプレート
１５１  第１のかんぬき部
１５２  第２のかんぬき部
１５３  溝部
１５４  操作孔
１５５  第１のカム部
１５６  第２のカム部
１６０  第１のガイドレール
１７０  ガイド爪
１８０  第２のベース
１８５  第２のカバー
１９０  第２のガイドレール
２００  固定機構
【図１】
2019023518.tif 000003
【図２】
2019023518.tif 000004
【図３】
2019023518.tif 000005
【図４】
2019023518.tif 000006
【図５】
2019023518.tif 000007
【図６】
2019023518.tif 000008
【図７】
2019023518.tif 000009
【図８】
2019023518.tif 000010
【図９】
2019023518.tif 000011
【図１０】
2019023518.tif 000012
【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
防弾機能を有する板状の部材である第１の分割体と、防弾機能を有する板状の部材である第２の分割体と、前記第１の分割体と前記第２の分割体とを連結するヒンジと、を備え、
前記第１の分割体の主面と前記第２の分割体の主面とが対向して重なり合う折り畳み状態と、前記第１の分割体の主面と前記第２の分割体の主面とが隣接して１枚の板状に展開された展開状態と、に変化する、折り畳み式防弾盾であって、
前記第１の分割体は、主面に設けられた第１のガイドレールと当該第１のガイドレールに係合し前記ヒンジの回動軸に対する直交方向に延伸し、前記直交方向に直動自在且つ前記第１の分割体から突出しない位置に保持されたロックプレートとを有し、
前記第２の分割体は、前記ロックプレートと嵌合する第２のガイドレールを有し、
前記展開状態において、前記第１のガイドレールと前記第２のガイドレールとが隣接し、前記ロックプレートが前記直交方向に移動して前記第２のガイドレールと嵌合することにより、前記第１の分割体及び前記第２の分割体が固定される、
折り畳み式防弾盾。
【請求項２】
前記ロックプレートは、２本のかんぬき部を有する二股形状をしており、
前記第１のガイドレール及び前記第２のガイドレールは、少なくとも前記２本のかんぬき部の内側の面にそれぞれ係合し、前記２本のかんぬき部の外側の面にそれぞれ開放部を有する、
請求項１に記載の折り畳み式防弾盾。
【請求項３】
前記第１のガイドレールは、前記ロックプレートを付勢することにより前記ロックプレートが前記ロックプレートの自重により動くことを抑止する弾性部材をさらに有し、
前記弾性部材は、前記ロックプレートと、前記第１のガイドレールとにより囲まれた閉空間に配置される、
請求項１又は２に記載の折り畳み式防弾盾。
【請求項４】
防弾機能を備える板状の防弾板をさらに備え、
前記防弾板は、前記展開状態において、前記第１の分割体と前記第２の分割体とを跨ぐように設けられる、
請求項１〜３のいずれか一項に記載の折り畳み式防弾盾。
【請求項５】
前記折り畳み状態において、前記第１のガイドレールと、前記第２のガイドレールとは、前記第１の分割体と前記第２の分割体の厚さ方向の外側にそれぞれ配置される、
請求項１〜４のいずれか一項に記載の折り畳み式防弾盾。